(57)【要約】【課題】純和風空間もしくはアーバンモダンな洋風空間を容易に形成可能にする。【解決手段】和室もしくは洋室の室内を種々にアレンジした複数の和風部屋もしくは洋風部屋に間仕切るよう連結手段２を介して連続衝立状に接続配置可能とする襖材、障子材、格子戸材、壁面材のいずれかを木枠材内側に形成して成る間仕切ユニット部材１ａ，１ｂ，１ｃ，１ｄを備える。間仕切ユニット部材１ａ，１ｂ，１ｃ，１ｄによって仕切った各部屋内の床面に、合成繊維ラッシュによる畳表１２を備えた畳敷構造体１１を着脱可能に敷設する。連結手段２は、平面で直線状に接続するＩ型コ字枠材、Ｌ字状に接続するＬ型コ字枠材、Ｔ字状に接続するＴ型コ字枠材、十字状に接続する十字型コ字枠材それぞれによる４つの接続補助金具３ａ，３ｂ，３ｃ，３ｄを使用し、さらに畳目地挿入用の突片部３３を有する起立保持部材３１によって起立固定可能にする。【選択図】図１
2007211406.tif 000002
【特許請求の範囲】
【請求項１】
和室もしくは洋室の室内を種々にアレンジされた複数の和風部屋もしくは洋風部屋に間仕切るよう連結手段を介して連続衝立状に接続配置可能とする襖材、障子材、格子戸材、壁面材のいずれかを木枠材内側に形成して成る間仕切ユニット部材を備えたことを特徴とする間仕切装置。
【請求項２】
間仕切ユニット部材によって仕切られた各部屋内の床面に着脱可能に敷設される合成繊維ラッシュによる畳表を備えた畳敷構造体を含む請求項１記載の間仕切装置。
【請求項３】
連結手段は、２つの間仕切ユニット部材同士を平面で直線状に接続する上下一対のＩ型コ字枠材、２つの間仕切ユニット部材同士を平面でＬ字状に接続する上下一対のＬ型コ字枠材、３つの間仕切ユニット部材同士を平面でＴ字状に接続する上下一対のＴ型コ字枠材、４つの間仕切ユニット部材同士を平面で十字状に接続する上下一対の十字型コ字枠材それぞれの接続補助金具のいずれかである請求項１または２記載の間仕切装置。
【請求項４】
接続補助金具のコ字枠内面には、互いに接続される間仕切ユニット部材それぞれの下面に形成された各嵌挿穴に嵌合されるホゾを備えた請求項３記載の間仕切装置。
【請求項５】
接続補助金具は、間仕切ユニット部材同士の側端部接続部分に介在接続させた長尺角棒状の接続補助桟部材を含めて当該間仕切ユニット部材同士に嵌装されるものとした請求項３または４記載の間仕切装置。
【請求項６】
接続補助桟部材には、互いに接続される間仕切ユニット部材それぞれの側端部に形成された各嵌挿穴に嵌合されるよう前記４つの接続補助金具の形状に対応して当該接続補助桟部材の２側面、３側面、４側面のいずれかにホゾを備えた請求項５記載の間仕切装置。
【請求項７】
間仕切ユニット部材の下端部分を支えるコ字枠材を形成し、このコ字状枠材の下面長手方向に沿って下方向へ突出した畳目地挿入用の突片部を設けて成る起立保持部材を含む請求項１乃至６のいずれか記載の間仕切装置。
【請求項８】
畳敷構造体は、発泡合成樹脂から成る芯材に、ナイロン・モノフィラメントの三次元立体網編物、多孔加工による通気プレート、多孔加工による通気クッションシートそれぞれを介して前記畳表が被覆されて成る請求項１乃至７のいずれか記載の間仕切装置。
【発明の詳細な説明】
【技術分野】
【０００１】
本発明は、例えば和室の大広間や洋室のホール等の室内で多彩なアレンジが可能となる複数の純和風空間もしくはアーバンモダンな洋風空間を形成可能とした間仕切装置に係り、特に簡単に組立て可能で、不要時には簡単に解体撤去できるようにした間仕切り装置に関する。
【背景技術】
【０００２】
従来、洋室のホール等の室内を複数の部屋に区画する場合には、目隠用の複数の金属製塀板材同士を互いに連結して設置することで室内を間仕切るようにしていた。また、和室の例えば大広間の室内を複数の部屋に区画する場合には、例えば複数の衝立屏風を畳上に置くだけで室内を間仕切るようにしていた。さらには、天井から懸吊式に吊り下げられ、天井に設けた案内レールに沿って移動される天井懸吊式間仕切装置も提案されている（特許文献１参照）。
【特許文献１】特開２００５−２１３７３７号公報
【発明の開示】
【発明が解決しようとする課題】
【０００３】
しかしながら、上述した従来方法においては、洋室のホール等の室内を複数に区画する場合には、重量性のある金属製塀板材を使用しているため、組立時の設置作業が非常に面倒であり、しかもコスト的にも非常に高価なものとなる。また、和室の例えば大広間の室内を複数に区画する場合には、畳上載置用の衝立屏風を使用しているため、完全に間仕切られた密室空間を形成することができず、しかも不用意な押圧によって衝立屏風自体が転倒してしまう虞れもある。
【０００４】
また、天井懸吊式間仕切装置では、天井に予じめ案内レールを設けなければならない。しかも、可動の間仕切り材の荷重に十分に耐えられるように天井を構成しなければならないから、面倒であり、簡単には設置できない。
【０００５】
さらに従来では、洋風の室内において、天然木材を使用した襖材、障子材、格子戸材、壁面材を採用した畳敷構造による純和風の座敷空間を形成するという具体的な発想もなされてはいなかった。
【０００６】
そこで、本発明は叙上のような従来存した諸事情に鑑み創出されたもので、本発明の目的は、例えば和室の大広間や洋室のホール等の室内において多彩なアレンジが可能となるよう複数に間仕切られた純和風空間もしくはアーバンモダンな洋風空間を容易で且つ安価に形成することを可能とする。さらに、洋風の室内であっても、天然木材を使用した襖材、障子材、格子戸材、壁面材を採用した畳敷構造による純和風の座敷空間を容易に形成できる。また、既設の和室大広間等内で簡単に組立設置でき、不要時では容易に解体撤去できる新規スタイルの間仕切装置を提供することにある。
【課題を解決するための手段】
【０００７】
上述した課題を解決するため、本発明にあっては、和室もしくは洋室の室内を種々にアレンジされた複数の和風部屋もしくは洋風部屋に間仕切るよう連結手段２を介して連続衝立状に接続配置可能とする襖材、障子材、格子戸材、壁面材のいずれかを木枠材内側に形成して成る間仕切ユニット部材１ａ，１ｂ，１ｃ，１ｄを備えたものである。
間仕切ユニット部材１ａ，１ｂ，１ｃ，１ｄによって仕切られた各部屋内の床面に着脱可能に敷設される合成繊維ラッシュによる畳表１２を備えた畳敷構造体１１を含むものとすることができる。
連結手段２は、２つの間仕切ユニット部材１ａ，１ｂ，１ｃ，１ｄ同士を平面で直線状に接続する上下一対のＩ型コ字枠材、２つの間仕切ユニット部材１ａ，１ｂ，１ｃ，１ｄ同士を平面でＬ字状に接続する上下一対のＬ型コ字枠材、３つの間仕切ユニット部材１ａ，１ｂ，１ｃ，１ｄ同士を平面でＴ字状に接続する上下一対のＴ型コ字枠材、４つの間仕切ユニット部材１ａ，１ｂ，１ｃ，１ｄ同士を平面で十字状に接続する上下一対の十字型コ字枠材それぞれ接続補助金具３ａ，３ｂ，３ｃ，３ｄのいずれかを使用するものとできる。
接続補助金具３ａ，３ｂ，３ｃ，３ｄのコ字枠内面には、互いに接続される間仕切ユニット部材１ａ，１ｂ，１ｃ，１ｄそれぞれの下面に形成された各嵌挿穴５に嵌合されるホゾ６を備えたものとできる。
接続補助金具３ａ，３ｂ，３ｃ，３ｄは、間仕切ユニット部材１ａ，１ｂ，１ｃ，１ｄ同士の側端部接続部分に介在接続させた長尺角棒状の接続補助桟部材４を含めて当該間仕切ユニット部材１ａ，１ｂ，１ｃ，１ｄ同士に嵌装されるものとできる。
接続補助桟部材４には、互いに接続される間仕切ユニット部材１ａ，１ｂ，１ｃ，１ｄそれぞれの側端部に形成された各嵌挿穴５に嵌合されるよう前記４つの接続補助金具３ａ，３ｂ，３ｃ，３ｄの形状に対応して当該接続補助桟部材４の２側面、３側面、４側面のいずれかにホゾ６を備えたものとできる。
間仕切ユニット部材１ａ，１ｂ，１ｃ，１ｄの下端中央部分を支えるコ字枠材３２を形成し、このコ字枠材３２の下面長手方向に沿って下方向へ突出した畳目地挿入用の突片部３３を設けて成る起立保持部材３１を含むものとすることができる。
畳敷構造体１１は、発泡合成樹脂から成る芯材１３に、ナイロン・モノフィラメントの三次元立体網編物、多孔加工による通気プレート、多孔加工による通気クッションシートそれぞれを介して前記畳表１２が被覆されて成るものとできる。
【０００８】
以上のように構成された本発明に係る間仕切装置にあって、接続補助桟部材４は、２側面、３側面、４側面のいずれかのホゾ６を複数の間仕切ユニット部材１ａ，１ｂ，１ｃ，１ｄそれぞれの側端部の嵌挿穴５に嵌合させることによって各間仕切ユニット部材１ａ，１ｂ，１ｃ，１ｄの側端部同士を連結させる。
また、Ｉ型コ字枠材、Ｌ型コ字枠材、Ｔ型コ字枠材、十字型コ字枠材それぞれによる接続補助金具３ａ，３ｂ，３ｃ，３ｄのいずれかを使用した連結手段２は、接続補助桟部材４を介して接続された間仕切ユニット部材１ａ，１ｂ，１ｃ，１ｄ同士の接続部分の上下に嵌合されることで当該間仕切ユニット部材１ａ，１ｂ，１ｃ，１ｄ同士を平面で直線状、Ｌ字状、Ｔ字状、十字状にして固定接続させる。
これにより襖材、障子材、格子戸材、壁面材のいずれかを木枠材内側に形成して成る各種の間仕切ユニット部材１ａ，１ｂ，１ｃ，１ｄを、直線状、Ｌ字状、Ｔ字状、十字状それぞれの形状に連結させ、これを室内に配置させることで複数に間仕切られて成る和風部屋もしくは洋風部屋を形成させる。しかも、隣接する和風部屋、洋風部屋相互間では間仕切ユニット部材１ａ，１ｂ，１ｃ，１ｄを共通にすることで複数空間を経済的に、容易に構成させる。
合成繊維ラッシュによる畳表１２を備えた畳敷構造体１１は、間仕切ユニット部材１ａ，１ｂ，１ｃ，１ｄによって仕切られた各部屋内の床面に敷設されることで、明るく清潔さを基調とした清潔感の高い空間を形成させ、また利用者に対し癒やしと健康を付与させる。
畳目地挿入用の突片部３３を有する起立保持部材３１は、敷設された畳敷構造体１１の畳目地３４への当該突片部３３の挿入によって間仕切ユニット部材１ａ，１ｂ，１ｃ，１ｄを起立固定させる。
発泡合成樹脂から成る芯材１３に、ナイロン・モノフィラメントの三次元立体網編物、多孔加工による通気プレート、多孔加工による通気クッションシートそれぞれを介して前記畳表１２が被覆されて成る畳敷構造体１１は、通気性を良好にさせると同時に畳敷構造自体の水洗い等による清掃を可能にさせる。
【発明の効果】
【０００９】
したがって本発明によれば、例えば和室の大広間や洋室のホール等の室内において多彩なアレンジが可能となるよう複数に間仕切られた純和風空間もしくはアーバンモダンな洋風空間を容易で且つ安価に形成することを可能とする。さらに、洋風の室内であっても、天然木材を使用した襖材、障子材、格子戸材、壁面材を採用した畳敷構造による純和風の座敷空間を容易に形成できる。また簡単に組立設置でき、不要時では容易に解体撤去し、コンパクトに保管収納も可能である。
【００１０】
すなわちこれは本発明が、和室もしくは洋室の室内を種々にアレンジされた複数の和風部屋もしくは洋風部屋に間仕切るよう連結手段２を介して連続衝立状に接続配置可能とする襖材、障子材、格子戸材、壁面材のいずれかを木枠材内側に形成して成る間仕切ユニット部材１ａ，１ｂ，１ｃ，１ｄを備えたからであり、これにより、艶やかで温もりのある襖材、障子材、格子戸材、壁面材によって間仕切られた状態の凛とした風格のある純和風空間もしくはアーバンモダンな洋風空間を容易で且つ安価に形成できる。
【００１１】
間仕切ユニット部材１ａ，１ｂ，１ｃ，１ｄによって仕切られた各部屋内の床面に着脱可能に敷設される合成繊維ラッシュによる畳表１２を備えた畳敷構造体１１を含むので、洋風の室内であっても、天然木材を使用した襖材、障子材、格子戸材、壁面材を採用した畳敷構造による純和風の座敷空間を容易に形成できる。しかも、利用者に対し癒やし感と健康増進作用を与えることができるのに加えて、畳表１２の強度を非常に強くできるため、歩くときの足裏による摩擦や、和式用の座卓２３や座椅子２４、洋式用のテーブル・デスク２５や椅子２６等の移動による摩擦、その他の物体摩擦等によって畳表１２が契れたりケバ立ったりせず、しかも畳が傷付くことが無く長期にわたって使用できる。
【００１２】
連結手段２は、２つの間仕切ユニット部材１ａ，１ｂ，１ｃ，１ｄ同士を平面で直線状に接続する上下一対のＩ型コ字枠材、２つの間仕切ユニット部材１ａ，１ｂ，１ｃ，１ｄ同士を平面でＬ字状に接続する上下一対のＬ型コ字枠材、３つの間仕切ユニット部材１ａ，１ｂ，１ｃ，１ｄ同士を平面でＴ字状に接続する上下一対のＴ型コ字枠材、４つの間仕切ユニット部材１ａ，１ｂ，１ｃ，１ｄ同士を平面で十字状に接続する上下一対の十字型コ字枠材それぞれによる４つの接続補助金具３ａ，３ｂ，３ｃ，３ｄを使用するので、襖材、障子材、格子戸材、壁面材のいずれかを木枠材内側に形成して成る各種の間仕切ユニット部材１ａ，１ｂ，１ｃ，１ｄを、直線状、Ｌ字状、Ｔ字状、十字状それぞれの連続した接続形状となるように容易に且つ確実に固定できる。そのため既設の部屋例えば和室の大広間でも、簡単に組立設置でき、また不要時では容易に解体撤去できる。
【００１３】
そればかりでなく、隣接して和風部屋、洋風部屋の空間を構成するとき、それらの相互間では間仕切ユニット部材１ａ，１ｂ，１ｃ，１ｄを共通にして使用できるから、経済的である。特に隣接空間では両脇袖構成として複数ユニットの連結配置を可能にし、簡単、容易に構成できる。
【００１４】
接続補助金具３ａ，３ｂ，３ｃ，３ｄのコ字枠内面には、互いに接続される間仕切ユニット部材１ａ，１ｂ，１ｃ，１ｄそれぞれの下面に形成された各嵌挿穴５に嵌合されるホゾ６を備えたので、接続補助金具３ａ，３ｂ，３ｃ，３ｄを間仕切ユニット部材１ａ，１ｂ，１ｃ，１ｄの下面に確実に固定できる。
【００１５】
接続補助金具３ａ，３ｂ，３ｃ，３ｄは、間仕切ユニット部材１ａ，１ｂ，１ｃ，１ｄ同士の側端部接続部分に介在接続させた長尺角棒状の接続補助桟部材４を含めて当該間仕切ユニット部材１ａ，１ｂ，１ｃ，１ｄ同士に嵌装されるので、接続補助桟部材４、接続補助金具３ａ，３ｂ，３ｃ，３ｄそれぞれにより、間仕切ユニット部材１ａ，１ｂ，１ｃ，１ｄ同士の側端部接続部分が補強される。しかも、襖材、障子材、格子戸材、壁面材による間仕切ユニット部材１ａ，１ｂ，１ｃ，１ｄの組み合わせ変更に加えて、各間仕切ユニット部材１ａ，１ｂ，１ｃ，１ｄを平面で直線状、Ｌ字状、Ｔ字状、十字状それぞれの形状に接続するための接続補助桟部材４に対応した接続補助金具３ａ，３ｂ，３ｃ，３ｄの形状の選択により、純和風空間もしくはアーバンモダンな洋風空間の種々のアレンジが可能となる。
【００１６】
接続補助桟部材４には、互いに接続される間仕切ユニット部材１ａ，１ｂ，１ｃ，１ｄそれぞれの側端部に形成された各嵌挿穴５に嵌合されるよう前記４つの接続補助金具３ａ，３ｂ，３ｃ，３ｄの形状に対応して当該接続補助桟部材４の２側面、３側面、４側面のいずれかにホゾ６を備えたので、各間仕切ユニット部材１ａ，１ｂ，１ｃ，１ｄの側端部同士を食い違い状の段差を生じることなく確実に連結できる。
【００１７】
間仕切ユニット部材１ａ，１ｂ，１ｃ，１ｄの下端中央部分を支えるコ字枠材３２の下面に、これの長手方向に沿って下方向へ突出した畳目地挿入用の突片部３３を設けて成る起立保持部材３１を含むので、敷設されている畳敷構造体１１の畳目地３４への当該突片部３３の挿入によって間仕切ユニット部材１ａ，１ｂ，１ｃ，１ｄを確実に起立配置でき、外力による間仕切ユニット部材１ａ，１ｂ，１ｃ，１ｄの転倒を防止できる。
【００１８】
畳敷構造体１１は、発泡合成樹脂から成る芯材１３に、ナイロン・モノフィラメントの三次元立体網編物、多孔加工による通気プレート、多孔加工による通気クッションシートそれぞれを介して前記畳表１２が被覆されて成るので、撥水性、通気性の非常に良好なことも相俟って、カビ、ダニ等も発生せず、適時、水洗い等を施すことで常時清潔に保つことができる。
【００１９】
尚、上記の課題を解決するための手段、発明の効果の項夫々において付記した符号は、図面中に記載した構成各部を示す部分との参照を容易にするために付した。本発明は、図面中の符号によって示された構造・形状に限定されない。
【発明を実施するための最良の形態】
【００２０】
以下、図面を参照して本発明を実施するための最良の一形態を説明する。図において示される符号１ａ，１ｂ，１ｃ，１ｄは、例えば和室の大広間や洋室のホール等の室内を間仕切ることによって例えば４畳半等の純和風の座敷空間もしくはアーバンモダンな洋風空間等を形成するための間仕切ユニット部材である。該間仕切ユニット部材１ａ，１ｂ，１ｃ，１ｄは、襖材、障子材、格子戸材、壁面材等を天然木材を使った木枠材内側に形成して成り、これらを室内において平面で直線状、Ｌ字状、Ｔ字状、十字状に接続するようにした後述する連結手段２および起立保持部材３１それぞれを介して連続衝立状に接続配置されるようにしてある。
【００２１】
そして、純和風の座敷空間を形成する場合には、図１および図３に示すように、間仕切ユニット部材１ａ，１ｂ，１ｃ，１ｄによって平面で例えば略コ字形に仕切られた各部屋内の畳上に、例えば合成繊維ラッシュによる畳表１２を備えた畳敷構造体１１が敷設され、その上に座卓２３や座椅子２４等が置かれる。
【００２２】
また、アーバンモダンな洋風空間を形成する場合には、図２に示すように、連結手段２によって略コ字形に接続された間仕切ユニット部材１ａ，１ｂ，１ｃ，１ｄを起立保持部材３１を使わずに、既設の床上に直接載置させる。そして、間仕切ユニット部材１ａ，１ｂ，１ｃ，１ｄによって平面で例えば略コ字形に仕切られた各部屋内の床上に、例えば合成繊維ラッシュによる畳表１２を備えた畳敷構造体１１が敷設され、その上にテーブル・デスク２５、椅子２６等が置かれる。
【００２３】
間仕切ユニット部材１ａ，１ｂ，１ｃ，１ｄとしては、図５に示すように、例えば天然の木を矩形状に組み合わせて成る木枠材の内側に上半分が和紙等を使い、下半分がクロス張りとした障子形態となったもの（図５（ａ）参照）、木枠材の内側に上半分が当該木枠材と同じ天然の木を使用した格子戸とし、下半分がクロス張りとした障子形態となったもの（図５（ｂ）参照）、木枠材の内側全面が和紙等を使った障子形態となったもの（図５（ｃ）参照）、木枠材の内側全面が当該木枠材と同じ天然木による格子戸とした障子形態となったもの（図５（ｄ）参照）等々に形成する。
【００２４】
また、木枠材を使った襖材としては、図６（ａ）に示すように、矩形枠状に組まれた木枠材の左右縁面の例えば上段・中段・下段の３箇所にホゾ６を備えたものとし、さらに図６（ｄ）に示すように、縦長枠状の襖材の中間縦方向に沿って長尺角棒状の接続補助桟部材４を組み込んだものを使用する。
【００２５】
連結手段２としては、図７乃至図１１に示すように、Ｉ型コ字枠材、Ｌ型コ字枠材、Ｔ型コ字枠材、十字型コ字枠材それぞれによる４種類の接続補助金具３ａ，３ｂ，３ｃ，３ｄと、図６（ｂ）、図６（ｃ）に示すように、側面の例えば上段・中段・下段の３箇所にホゾ６を備えた長尺角棒状の接続補助桟部材４とを使用する。このとき、接続補助金具３ａ，３ｂ，３ｃ，３ｄの各種類に対応して、接続補助桟部材４のホゾ６が形成される側面を変えている。すなわちこのホゾ６は、接続補助金具３ａ，３ｂ，３ｃ，３ｄの例えばＩ型コ字枠材、Ｌ型コ字枠材、Ｔ型コ字枠材、十字型コ字枠材それぞれに対応して、接続補助桟部材４の相対向する２側面、隣り合う２側面、３側面、４側面のいずれかに形成される。
【００２６】
また、間仕切ユニット部材１ａ，１ｂ，１ｃ，１ｄを起立保持部材３１を介さずに、畳面上または床面上に直接載置させる場合には、接続補助金具３ａ，３ｂ，３ｃ，３ｄによって床面が傷付くことが無いように、間仕切ユニット部材１ａ，１ｂ，１ｃ，１ｄの下端に配置される方の４種類の接続補助金具３ａ，３ｂ，３ｃ，３ｄの下面には、滑り止め用のゴム材（図示せず）等が固定されている。
【００２７】
すなわち連結手段２は、図３および図４に示すように、Ｉ型コ字枠材による接続補助金具３ａの場合には、相対向する２側面にホゾ６を有する接続補助桟部材４の当該ホゾ６を、間仕切ユニット部材１ａ，１ｂ，１ｃ，１ｄの側端部接続部分に凹設した嵌挿穴５に嵌合させ、側端部接続部分に介在接続させた長尺角棒状の接続補助桟部材４を中間に含むようにして当該側端部接続部分の上下箇所にそれぞれＩ型コ字枠材による接続補助金具３ａを嵌装することで２つの間仕切ユニット部材１ａ，１ｂ，１ｃ，１ｄ同士を直線状に接続するものである。
【００２８】
また、Ｌ型コ字枠材による接続補助金具３ｂの場合には、隣り合う２側面にホゾ６を有する接続補助桟部材４の当該ホゾ６を、間仕切ユニット部材１ａ，１ｂ，１ｃ，１ｄの側端部接続部分に凹設した嵌挿穴５に嵌合させ、側端部接続部分に介在接続させた長尺角棒状の接続補助桟部材４を中間に含むようにして当該側端部接続部分の上下箇所にそれぞれＬ型コ字枠材による接続補助金具３ｂを嵌装することで２つの間仕切ユニット部材１ａ，１ｂ，１ｃ，１ｄ同士を平面でＬ字状に接続する。
【００２９】
また、Ｔ型コ字枠材による接続補助金具３ｃの場合には、３側面にホゾ６を有する接続補助桟部材４の当該ホゾ６を、間仕切ユニット部材１ａ，１ｂ，１ｃ，１ｄの側端部接続部分に凹設した嵌挿穴５に嵌合させ、側端部接続部分に介在接続させた長尺角棒状の接続補助桟部材４を中間に含むようにして当該側端部接続部分の上下箇所にそれぞれＴ型コ字枠材による接続補助金具３ｃを嵌装することで３つの間仕切ユニット部材１ａ，１ｂ，１ｃ，１ｄ同士を平面でＴ字状に接続する。
【００３０】
また、十字型コ字枠材による接続補助金具３ｄの場合には、４側面にホゾ６を有する接続補助桟部材４の当該ホゾ６を、間仕切ユニット部材１ａ，１ｂ，１ｃ，１ｄの側端部接続部分に凹設した嵌挿穴５に嵌合させ、側端部接続部分に介在接続させた長尺角棒状の接続補助桟部材４を中間に含むようにして当該側端部接続部分の上下箇所にそれぞれ十字型コ字枠材による接続補助金具３ｄを嵌装すること４つの間仕切ユニット部材１ａ，１ｂ，１ｃ，１ｄ同士を平面で十字状に接続する。
【００３１】
さらにこれらの接続補助金具３ａ，３ｂ，３ｃ，３ｄのコ字枠内面には、互いに接続される間仕切ユニット部材１ａ，１ｂ，１ｃ，１ｄそれぞれの下面一端側に形成された各嵌挿穴５に嵌合されるホゾ６を突設する。すなわち、Ｉ型コ字枠材ではＩ字両端部位置（図７参照）に、Ｌ型コ字枠材ではＬ字両端部位置（図９参照）に、Ｔ型コ字枠材では３方端部位置（図１０参照）に、十字型コ字枠材では４方端部位置（図１１参照）にそれぞれホゾ６を突設させてある。こうすることで、間仕切ユニット部材同士の側端部接続部分に介在接続させた長尺角棒状の接続補助桟部材４を中間に含むようにして当該側端部接続部分の上下箇所にそれぞれ嵌装される。
【００３２】
また、図１２、図１３に示すように、連結手段２によって組み立てられた間仕切ユニット部材１ａ，１ｂ，１ｃ，１ｄを既設の畳敷の上に立たせる場合には、起立保持部材３１を使用する。すなわちこの起立保持部材３１は、間仕切ユニット部材１ａ，１ｂ，１ｃ，１ｄ下端の略中央部分を長手方向に沿って嵌挿可能な長尺なコ字枠材３２によって形成し、該コ字枠材３２の下面長手方向に沿って下方向へ向けて略Ｔ字状に畳目地挿入用の突片部３３が突設されている。
【００３３】
使用に際し、この起立保持部材３１の突片部３３を畳目地３４の間に予め挿入しておき、連結手段２によって予め組み立てられている間仕切ユニット部材１ａ，１ｂ，１ｃ，１ｄをこのコ字枠材３２内に上から嵌め入れるように装着する。あるいは連結手段２によって予め組み立てられている間仕切ユニット部材１ａ，１ｂ，１ｃ，１ｄ下端に起立保持部材３１を装着してから、起立保持部材３１の突片部３３を畳目地３４の間に挿入しても良い。
【００３４】
また、間仕切ユニット部材１ａ，１ｂ，１ｃ，１ｄによって仕切られた床面に敷設される畳敷構造体１１の構成としては、例えば発泡スチレン、発泡ポリオレフィン系樹脂等の耐荷重性・耐水性・化学的安定性を有する発泡合成樹脂から成る芯材１３の片面に、ナイロン・モノフィラメントの三次元立体網編物を張設し、この上に多孔加工による通気プレートを張設し、さらにこの上に多孔加工による波形構造の通気クッションシートを介して例えば合成繊維ラッシュによる畳表１２が被覆されることによって形成する。
【００３５】
さらに具体的な畳敷構造体１１としては、図１４に示すように、強化ポリスチレンフォーム等の発泡合成樹脂から成る芯材１３の下面に防水・防塵・防黴シート１４を布設し、上面に強化プラスチックによる中空ボード１５を張設し、その上に多孔加工による通気クッションシート１６を介して例えば合成繊維ラッシュによる畳表１２が被覆されることによって形成する。この防水・防塵・防黴シート１４としては、例えば不織布もしくは合成樹脂フィルム等に、周知の防黴剤、銀イオン抗菌剤、防臭剤等を含浸させることによって形成される。
【００３６】
そして、人工ラッシュに直交する側縁部には、ＡＢＳ樹脂製またはステンレス製の薄板を溝形に折曲加工し、その表面に、ポリプロピレン繊維を織成して撥水加工を施した畳縁布を接着して成る畳縁チャンネル部材１７を嵌着させてある。
【００３７】
また、図１５に示すように、畳敷構造体１１における発泡合成樹脂から成る芯材１３に例えば矩形平面状の窪みを形成し、この窪みと畳表１２との間に形成される空間に、遠赤外線ＰＴＣヒーター１８が内蔵されることで、畳本体１自体が床暖房として機能できるようにしても良い。
【００３８】
また、図１または図２に示すように、略コ字形状となって連続衝立状に接続してから室内に設置された間仕切ユニット部材１ａ，１ｂ，１ｃ，１ｄのコーナー上部には、コ字枠状の照明取付パイプ２１のコ字両端部が、互いに交差する成間仕切ユニット部材１ａ，１ｂ，１ｃ，１ｄそれぞれに架かるように取り付けられている。そして、該照明取付パイプ２１のコ字中央に例えば天付蛍光灯を導入した明るいシーリング照明装置２２が例えば吊設等によって取り付けられる。
【００３９】
次に、以上のように構成された最良の形態についての使用、組立の一例について説明する。例えば４畳半の純和風の座敷空間を形成する場合には、図１および図３に示すように、襖材、障子材、格子戸材、壁面材等に形成された成間仕切ユニット部材１ａ，１ｂ，１ｃ，１ｄを所定の配列パターンにしたがって連結手段２を介して略コ字形状となった連続衝立状に接続してから起立保持部材３１を使って室内の既設の畳上に設置する。
【００４０】
この連結手段２としては、図４に示すように、接続補助桟部材４のホゾ６を、間仕切ユニット部材１ａ，１ｂ，１ｃ，１ｄの側端部接続部分にある嵌挿穴５に嵌合すると共に、側端部接続部分に接続補助桟部材４が介在接続した状態で当該側端部接続部分の上下箇所にそれぞれ接続補助金具３ａ，３ｂ，３ｃ，３ｄを嵌装する。
【００４１】
例えばＩ型コ字枠材による接続補助金具３ａは、側端部接続部分に介在接続させた長尺角棒状の接続補助桟部材４を中間に含むようにして当該側端部接続部分の上下箇所にそれぞれ嵌装することで２つの間仕切ユニット部材１ａ，１ｂ，１ｃ，１ｄ同士を平面で直線状に接続する。
【００４２】
また、Ｌ型コ字枠材による接続補助金具３ｂの場合には、側端部接続部分に介在接続させた長尺角棒状の接続補助桟部材４を中間に含むようにして当該側端部接続部分の上下箇所にそれぞれ嵌装することで２つの間仕切ユニット部材１ａ，１ｂ，１ｃ，１ｄ同士を平面でＬ字状に接続する。
【００４３】
また、Ｔ型コ字枠材による接続補助金具３ｃの場合には、接続補助桟部材４の３側面のホゾ６を、間仕切ユニット部材１ａ，１ｂ，１ｃ，１ｄの側端部接続部分にある嵌挿穴５にそれぞれ嵌合することにより当該側端部接続部分の間に接続補助桟部材４を介在接続する。この長尺角棒状の接続補助桟部材４を中間に含むようにして当該側端部接続部分の上下箇所にそれぞれＴ型コ字枠材による接続補助金具３ｃを嵌装することで３つの間仕切ユニット部材１ａ，１ｂ，１ｃ，１ｄ同士を平面でＴ字状に接続する。
【００４４】
また、十字型コ字枠材による接続補助金具３ｄの場合には、接続補助桟部材４の４側面のホゾ６を、間仕切ユニット部材１ａ，１ｂ，１ｃ，１ｄの側端部接続部分にある嵌挿穴５にそれぞれ嵌合することにより当該側端部接続部分の間に接続補助桟部材４を介在接続する。この長尺角棒状の接続補助桟部材４を中間に含むようにして当該側端部接続部分の上下箇所にそれぞれ十字型コ字枠材による接続補助金具３ｄを嵌装することで４つの間仕切ユニット部材１ａ，１ｂ，１ｃ，１ｄ同士を平面で十字状に接続する。
【００４５】
こうして、図２に示すように、各種の間仕切ユニット部材１ａ，１ｂ，１ｃ，１ｄ同士は平面からみて全体を略コ字形状に組み立てる。この後、図１３に示すように、起立保持部材３１の突片部３３を畳目地３４の間に予め挿入しておき、連結手段２によって組み立てられている間仕切ユニット部材１ａ，１ｂ，１ｃ，１ｄをコ字枠材３２内に上から装着する。これによって、既設の畳目地３４に沿って間仕切ユニット部材１ａ，１ｂ，１ｃ，１ｄを起立固定する。
【００４６】
そして、図３に示すように、各部屋内の畳面には、例えば合成繊維ラッシュによる畳表１２を備えた畳敷構造体１１を敷設し、その上に座卓２３や座椅子２４等を置く。
【００４７】
さらに間仕切ユニット部材１ａ，１ｂ，１ｃ，１ｄのコーナー上部にある照明取付パイプ２１にはシーリング照明装置２２がコーナー上部位置から斜下方向に向けて吊設し、部屋内を明るく照らす。
【００４８】
また、アーバンモダンな洋風空間を形成する場合には、図２に示すように、連結手段２によって略コ字形に接続された間仕切ユニット部材１ａ，１ｂ，１ｃ，１ｄを起立保持部材３１を使わずに、既設の床上に直接載置させてから各部屋内の床面に例えば合成繊維ラッシュによる畳表１２を備えた畳敷構造体１１を敷設し、その上にテーブル・デスク２５、椅子２６等を置く。これにより、天然木材による襖材、障子材、格子戸材、壁面材を採用した畳敷構造によるアーバンモダンな洋風空間を形成する。
【図面の簡単な説明】
【００４９】
【図１】本発明を実施するための最良の形態における座敷による和風空間の設置状態の一例を示す斜視図である。
【図２】同じくアーバンモダンな洋風空間の設置状態の一例を示す斜視図である。
【図３】同じく畳敷構造体の配置状態の一例を示す平面図である。
【図４】同じく間仕切ユニット部材、接続補助桟部材、接続補助金具それぞれの組立状態を示す分解斜視図である。
【図５】同じく間仕切ユニット部材の具体例を示し、（ａ）は上半分が和紙で下半分がクロス張りとなった障子形態の正面図、（ｂ）は上半分が格子戸で下半分がクロス張りとなった障子形態の正面図、（ｃ）は全面を和紙とした障子形態の正面図、（ｄ）は全面を格子戸とした障子形態の正面図である。
【図６】同じく襖材および接続補助桟部材の具体例を示し、（ａ）は木枠材を使った襖材の正面図、（ｂ）は接続補助桟部材の正面図、（ｃ）は他構成による接続補助桟部材の正面図、（ｄ）は襖材の中間に接続補助桟部材を組付けた状態の正面図である。
【図７】同じくＩ型コ字枠材による接続補助金具の一部切欠斜視図である。
【図８】同じくＩ型コ字枠材による接続補助金具の使用状態を説明する一部切欠正面図である。
【図９】同じくＬ型コ字枠材による接続補助金具の一部切欠斜視図である。
【図１０】同じくＴ型コ字枠材による接続補助金具の一部切欠斜視図である。
【図１１】同じく十字型コ字枠材による接続補助金具の一部切欠斜視図である。
【図１２】同じく畳目地挿入用の突片部を有する接続補助金具を示す斜視図である。
【図１３】同じく畳目地挿入用の突片部を有する接続補助金具の使用状態を示す一部切欠斜視図である。
【図１４】畳本体の構成例を示す一部切欠斜視図である。
【図１５】畳本体の他の構成例を示す一部切欠斜視図である。
【符号の説明】
【００５０】
１ａ，１ｂ，１ｃ，１ｄ…間仕切ユニット部材
２…連結手段                            ３ａ，３ｂ，３ｃ，３ｄ…接続補助金具
４…接続補助桟部材                      ５…嵌挿穴
６…ホゾ                                ７…突片部
１１…畳敷構造体                        １２…畳表
１３…芯材                              １４…防水・防塵・防黴シート
１５…中空ボード                        １６…通気クッションシート
１７…畳縁チャンネル部材                １８…遠赤外線ＰＴＣヒーター
２１…照明取付パイプ                    ２２…シーリング照明装置
２３…座卓                              ２４…座椅子
２５…テーブル・デスク                  ２６…椅子
３１…起立保持部材                      ３２…コ字枠材
３３…突片部                            ３４…畳目地
【図１】
2007211406.tif 000003
【図２】
2007211406.tif 000004
【図３】
2007211406.tif 000005
【図４】
2007211406.tif 000006
【図５】
2007211406.tif 000007
【図６】
2007211406.tif 000008
【図７】
2007211406.tif 000009
【図８】
2007211406.tif 000010
【図９】
2007211406.tif 000011
【図１０】
2007211406.tif 000012
【図１１】
2007211406.tif 000013
【図１２】
2007211406.tif 000014
【図１３】
2007211406.tif 000015
【図１４】
2007211406.tif 000016
【図１５】
2007211406.tif 000017